【手続補正書】
【提出日】平成25年9月12日(2013.9.12)
【手続補正１】
【補正対象書類名】明細書
【補正対象項目名】発明の名称
【補正方法】変更
【補正の内容】
【発明の名称】情報処理装置、通信システム及びプログラム
【手続補正２】
【補正対象書類名】明細書
【補正対象項目名】０００１
【補正方法】変更
【補正の内容】
【０００１】
本発明は、情報処理装置、通信システム及びプログラムに関する。
【手続補正３】
【補正対象書類名】明細書
【補正対象項目名】００１８
【補正方法】変更
【補正の内容】
【００１８】
請求項１１に記載の発明は、請求項１０に記載の通信システムであって、前記ＶｏＩＰ端末は、前記所属を選択する所属選択手段をさらに備え、前記発呼手段は、前記所属選択手段により選択された所属に含まれる他のＶｏＩＰ端末を順次発呼することを特徴とする。
さらに、上記課題を解決するため、請求項１２に記載の発明は、電話帳データを用いて他のＶｏＩＰ端末を発呼する複数のＶｏＩＰ端末と通信を行う情報処理装置のコンピュータを制御するためのプログラムであって、前記コンピュータを、前記複数のＶｏＩＰ端末のそれぞれに割り当てられたＩＰアドレスを含む電話帳データを第１の記憶手段に記憶させる手段、前記電話帳データの更新に用いる情報であって前記複数のＶｏＩＰ端末のそれぞれに割り当てられるＩＰアドレスを示す情報を含む設定情報を第２の記憶手段に記憶させる手段、前記設定情報に基づいて前記複数のＶｏＩＰ端末の全てに対して応答を要請する応答要請手段、前記応答要請手段により応答を要請されたＶｏＩＰ端末からの応答を検知する応答検知手段と、前記応答検知手段により検知される応答の有無に基づいて前記電話帳データを更新する電話帳データ更新手段、前記電話帳データの更新後に前記複数のＶｏＩＰ端末のそれぞれに更新された電話帳データを送信する電話帳データ送信手段、として機能させるようにしたコンピュータ読み取り可能なプログラムである。
【手続補正４】
【補正対象書類名】特許請求の範囲
【補正対象項目名】全文
【補正方法】変更
【補正の内容】
【特許請求の範囲】
【請求項１】
電話帳データを用いて他のＶｏＩＰ端末を発呼する複数のＶｏＩＰ端末と通信を行う情報処理装置であって、
前記複数のＶｏＩＰ端末のそれぞれに割り当てられたＩＰアドレスを含む電話帳データを記憶する電話帳データ記憶手段と、
前記電話帳データの更新に用いる情報であって前記複数のＶｏＩＰ端末のそれぞれに割り当てられるＩＰアドレスを示す情報を含む設定情報を記憶する設定情報記憶手段と、
前記設定情報に基づいて前記複数のＶｏＩＰ端末の全てに対して応答を要請する応答要請手段と、
前記応答要請手段により応答を要請されたＶｏＩＰ端末からの応答を検知する応答検知手段と、
前記応答検知手段により検知される応答の有無に基づいて前記電話帳データを更新する電話帳データ更新手段と、
前記電話帳データの更新後に前記複数のＶｏＩＰ端末のそれぞれに更新された電話帳データを送信する電話帳データ送信手段と、
を備えることを特徴とする情報処理装置。
【請求項２】
前記設定情報は、前記複数のＶｏＩＰ端末の全てに対して応答を要請する周期に係る情報をさらに含むことを特徴とする請求項１に記載の情報処理装置。
【請求項３】
前記電話帳データは、当該電話帳データに含まれる前記複数のＶｏＩＰ端末のそれぞれに割り当てられたＩＰアドレスのうち一部又は全部について、それぞれのＶｏＩＰ端末の所属を示す所属情報を付加することを特徴とする請求項１又は２に記載の情報処理装置。
【請求項４】
前記所属は複数設けられ、
前記電話帳データ及び前記設定情報は複数の所属のそれぞれについて個別に設けられることを特徴とする請求項３に記載の情報処理装置。
【請求項５】
電話帳データを用いて他のＶｏＩＰ端末を発呼する複数のＶｏＩＰ端末と、前記複数のＶｏＩＰ端末と通信を行う情報処理装置と、を含む通信システムであって、
前記情報処理装置は、
前記複数のＶｏＩＰ端末のそれぞれに割り当てられたＩＰアドレスを含む電話帳データを記憶する電話帳データ記憶手段と、
前記電話帳データの更新に用いる情報であって前記複数のＶｏＩＰ端末のそれぞれに割り当てられるＩＰアドレスを示す情報を含む設定情報を記憶する設定情報記憶手段と、
前記設定情報に基づいて前記複数のＶｏＩＰ端末の全てに対して応答を要請する応答要請手段と、
前記応答要請手段により応答を要請されたＶｏＩＰ端末からの応答を検知する応答検知手段と、
前記応答検知手段により検知される応答の有無に基づいて前記電話帳データを更新する電話帳データ更新手段と、
前記電話帳データの更新後に前記複数のＶｏＩＰ端末のそれぞれに更新された電話帳データを送信する電話帳データ送信手段と、を備え、
前記ＶｏＩＰ端末は、
前記情報処理装置から送信された電話帳データを受信する電話帳データ受信手段を備えることを特徴とする通信システム。
【請求項６】
前記情報処理装置は、
前記電話帳データの更新後に前記複数のＶｏＩＰ端末のそれぞれに対して前記電話帳データの更新を通知する更新通知手段をさらに備え、
前記ＶｏＩＰ端末は、
前記更新通知手段からの通知を受信する更新通知受信手段と、
前記更新通知受信手段が通知を受信した場合、通信を介して前記電話帳データを前記情報処理装置から取得する電話帳データ取得手段と、
を備えることを特徴とする請求項５に記載の通信システム。
【請求項７】
前記設定情報は、前記複数のＶｏＩＰ端末の全てに対して応答を要請する周期に係る情報をさらに含むことを特徴とする請求項５又は６に記載の通信システム。
【請求項８】
前記ＶｏＩＰ端末は、前記電話帳データに基づいて他のＶｏＩＰ端末を所定の順序で順次発呼する発呼手段をさらに備えることを特徴とする請求項５から７のいずれか一項に記載の通信システム。
【請求項９】
前記電話帳データは、当該電話帳データに含まれる前記複数のＶｏＩＰ端末のそれぞれに割り当てられたＩＰアドレスのうち一部又は全部について、それぞれのＶｏＩＰ端末の所属を示す所属情報を付加し、
前記発呼手段は、前記所属に基づいて他のＶｏＩＰ端末を順次発呼することを特徴とすることを特徴とする請求項８に記載の通信システム。
【請求項１０】
前記所属は複数設けられ、
前記電話帳データ及び前記設定情報は複数の所属のそれぞれについて個別に設けられることを特徴とする請求項９に記載の通信システム。
【請求項１１】
前記ＶｏＩＰ端末は、前記所属を選択する所属選択手段をさらに備え、
前記発呼手段は、前記所属選択手段により選択された所属に含まれる他のＶｏＩＰ端末を順次発呼することを特徴とする請求項１０に記載の通信システム。
【請求項１２】
電話帳データを用いて他のＶｏＩＰ端末を発呼する複数のＶｏＩＰ端末と通信を行う情報処理装置のコンピュータを制御するためのプログラムであって、
前記コンピュータを、
前記複数のＶｏＩＰ端末のそれぞれに割り当てられたＩＰアドレスを含む電話帳データを第１の記憶手段に記憶させる手段、
前記電話帳データの更新に用いる情報であって前記複数のＶｏＩＰ端末のそれぞれに割り当てられるＩＰアドレスを示す情報を含む設定情報を第２の記憶手段に記憶させる手段、
前記設定情報に基づいて前記複数のＶｏＩＰ端末の全てに対して応答を要請する応答要請手段、
前記応答要請手段により応答を要請されたＶｏＩＰ端末からの応答を検知する応答検知手段と、
前記応答検知手段により検知される応答の有無に基づいて前記電話帳データを更新する電話帳データ更新手段、
前記電話帳データの更新後に前記複数のＶｏＩＰ端末のそれぞれに更新された電話帳データを送信する電話帳データ送信手段、
として機能させるようにしたコンピュータ読み取り可能なプログラム。